(57)【要約】【課題】公知のずれ止め層は、ずれ止めな機能が具備するが、取り外す時に、カーペットに傷を与え、硬質であるゆえ、ずれ止め対象に、ぴたりと合わせることもできなくて、まして、製造コストがより高い。本発明の目的は、前述公知のずれ止め層の欠点を改善するずれ止め層を提供することを課題とする。【解決手段】ずれ止め層は、１つの編み合わせた基布層と、複数の基布層の上に基布層から編み上げた合成繊維糸のパイル糸と、で構成される。前記基布層は、複数の合成繊維糸と、柔軟な基礎繊維糸からなり、各自の合成繊維糸の傍に、基礎繊維糸を併設し、二股の編み合わせで、同一水平面に、基布層を形成し、各自の合成繊維糸の末端が基布層の外部に、特定の高さで延伸して、且つ一定の剛性を持つ。  合成繊維糸は、ナイロンと、ポリエステルと、ポリプロピレン（PP）と、ポリエチレン（PE）と、どれか１つで造られても良い。【選択図】    図１
2011111694.tif 000002
【特許請求の範囲】
【請求項１】
ずれ止め層であって、前記ずれ止め層は、１つの編み合わせた基布層と、複数の基布層の上に基布層から編み上げた合成繊維糸のパイル糸と、で構成され、
前記基布層は、複数の合成繊維糸と、柔軟な基礎繊維糸からなり、各自の合成繊維糸の傍に、基礎繊維糸を併設し、二股の編み合わせで、同一水平面に、基布層を形成し、各自の合成繊維糸の末端が基布層の外部に、特定の高さで延伸して、且つ一定の剛性を持つことを特徴とするずれ止め層。
【請求項２】
前記各自の合成繊維糸が、U形に撓め、１つの環部と、２つの延伸されたパイル糸と、を形成され、各自の環部が、まえの環部を絡み、前記併設した基礎繊維糸が、同時にU形に撓め、環部を形成した後、横ばいで隣側の合成繊維に絡みつくことを特徴とする請求項１に記載のずれ止め層。
【請求項３】
前記基布層は、空洞がない布面であることを特徴とする請求項１に記載のずれ止め層。
【請求項４】
前記基布層は、空洞が有する布面であることを特徴とする請求項１に記載のずれ止め層。
【請求項５】
前記基布層は、多角形の空洞が有する布面であることを特徴とする請求項４に記載のずれ止め層。
【請求項６】
前記合成繊維糸は、ナイロン（Nylon）で造られることを特徴とする請求項１に記載のずれ止め層。
【請求項７】
前記合成繊維糸は、ポリエステル（Polyester）で造られることを特徴とする請求項１に記載のずれ止め層。
【請求項８】
前記合成繊維糸は、ポリプロピレン（PP）で造られることを特徴とする請求項１に記載のずれ止め層。
【請求項９】
前記合成繊維糸は、ポリエチレン（PE）で造られることを特徴とする請求項１に記載のずれ止め層。
【発明の詳細な説明】
【技術分野】
【０００１】
本発明はマットと、絨毯と、毛布などに、カーペットに対するずれ止め機能を加えるずれ止め層に関する。
【背景技術】
【０００２】
従来より、ずれ止め層は、表面にフック状なパイルを有する、より堅いな材質で造られたゆえ、ずれ止めな機能が具備するが、取り外す時に、カーペットに傷を与え、硬質であるゆえ、ずれ止め対象に、ぴたりと合わせることもできなくて、まして、製造コストがより高いので、小面積なものしか提供されていない。
【発明の開示】
【発明が解決しようとする課題】
【０００３】
前述公知のずれ止め層は、ずれ止めな機能が具備するが、取り外す時に、カーペットに傷を与え、硬質であるゆえ、ずれ止め対象に、ぴたりと合わせることもできなくて、まして、製造コストがより高い。
本発明の目的は、前述公知のずれ止め層の欠点を改善するずれ止め層を提供することにある。
【課題を解決するための手段】
【０００４】
２つの違った弾力性と剛性を持つ糸を、編み合わせで、ずれ止め層を造り、ずれ止め層は、１つの編み合わせた基布層と、複数の基布層の上に基布層から編み上げた合成繊維糸のパイル糸と、で構成される。
前記基布層は、複数の合成繊維糸と、柔軟な基礎繊維糸からなり、各自の合成繊維糸の傍に、基礎繊維糸を併設し、二股の編み合わせで、同一水平面に、基布層を形成し、各自の合成繊維糸の末端が基布層の外部に、特定の高さで延伸して、且つ一定の剛性を持つ。
前記各自の合成繊維糸が、U形に撓め、１つの環部と、２つの延伸されたパイル糸と、を形成され、各自の環部が、まえの環部を絡み、前記併設した基礎繊維糸が、同時にU形に撓め、環部を形成した後、横ばいで隣側の合成繊維に絡みつく。
前記合成繊維糸は、ナイロンと、ポリエステルと、ポリプロピレン（PP）と、ポリエチレン（PE）と、どれか１つで造られても良い。
【発明の効果】
【０００５】
本発明により、ずれ止め層は、柔軟さと軽さを有し、通気性と弾力性を具備し、ずれ止め効果高く、カーペットの上に、繰り返して貼り付けと取り外すことをしても、カーペットに損害を与えない。詳しいのは、下記のようである。
１．重量は低いので省エネの利点がある。
２．ずれ止め効果高くが、カーペットに損害を与えない。
３．製造コストは低いので、市場に競争力が高める。
【発明を実施するための最良の形態】
【０００６】
図１，１a，２に示すように、本発明のずれ止め層１０は、複数の合成繊維糸２０a，２０bと、柔軟な基礎繊維糸３０a，３０bと、からなる。
図３〜５に示すように、各合成繊維糸２０a，２０bが、U形に撓め、環部２１（図３に参照）と、２つの延伸されたパイル糸２２（図３に参照）と、を形成され、各自の環部２１が、まえの環部２１を絡み、末端が延伸してパイル糸２２となり、基布層４０の外部まで延伸する。各自の合成繊維糸２０a，２０bは、１つの間隔で、傍に、柔軟な基礎繊維糸３０a，３０bを併設し（図３，４に参照）、第１合成繊維糸２０aが基礎繊維糸３０aと併設、絡み合って第２合成繊維糸２０aが基礎繊維糸３０bと併設、同様で、第１合成繊維糸２０bが基礎繊維糸３０bと併設、絡み合って第２合成繊維糸２０bが基礎繊維糸３０aと併設、二股を編み上げて股Aとなり（図１aに参照）、従って、合成繊維糸２０a，２０bと、基礎繊維糸３０a，３０bと、を編み合わせて、同一水平面に、基布層４０を形成し、前記合成繊維糸２０a，２０bの傍に併設の基礎繊維糸３０a，３０bが、撓めて環部２１を形成した後に、横ばいの合成繊維糸２０a，或いは合成繊維糸２０bに絡み合う（図３，４に参照）。合成繊維糸２０a，２０bは、ナイロンと、ポリエステルと、ポリプロピレン（PP）と、ポリエチレン（PE）と、どれか１つで造られても良い。
図３〜６に示すように、合成繊維糸２０aと基礎繊維糸３０aを編み合わせの後に、横ばいの合成繊維糸２０bに絡み合って、二股を編み上げで、従って、合成繊維糸２０a，２０bと、基礎繊維糸３０a，３０bと、を編み合わせて、同一水平面に、基布層４０を形成し、該基布層４０には、複数の合成繊維糸２０a，２０bの前後絡みあって環部２１を有し、各自の環部２１が、まえの環部２１を絡み、末端が延伸してパイル糸２２となり、基布層４０の外部まで延伸する。また、横ばい絡みの基礎繊維糸３０a，３０bが、より長く設置された時に、空洞の間隔Xを発生し、従って、基布層に空洞を形成し、空洞は、円形と、四角形と、多角形と、どれか１つの形状生成しても良い。
図７に示すように、横ばい絡みの基礎繊維糸３０a，３０bが、短く設置された時に、空洞の間隔Xを発生されなく、従って、基布層に空洞を形成しないで、平面なずれ止め層１０aとなる。
図８，９に示すように、合成繊維糸２０a，２０bと、基礎繊維糸３０a，３０bと、からなるずれ止め層１０は、焼きつく設備で加熱させたより、合成繊維糸２０a，２０bのパイル糸２１のパイル糸頭部２３を丸くなれ（図８に参照）、或いは、合成繊維糸２０a，２０bのパイル糸２１のパイル糸頭部２４を加熱押圧加工で、フック状になれる（図９に参照）。なお、基布層４０の外部まで延伸するパイル糸２２の長さは、任意に調整設定も良い、また、合成繊維糸に一定の剛性を持つ。
従って、本発明のずれ止め層は、柔軟さと軽さを有し、通気性と弾力性を具備し、ずれ止め効果高く、カーペットの上に、繰り返して貼り付けと取り外すことをしても、カーペットに損害を与えない。
【図面の簡単な説明】
【０００７】
【図１】本発明のずれ止め層の斜視図である。
【図１ａ】本発明のずれ止め層の部分拡大図である。
【図２】本発明の基布層と合成繊維糸の編み合わせの説明図である。
【図３】本発明の基礎繊維糸と合成繊維糸の編み合わせ方式の底面図である。
【図４】本発明のもう１つの基礎繊維糸と合成繊維糸の編み合わせ方式の底面図である。
【図５】本発明のずれ止め層の部分断面図である。
【図６】本発明の基布層の空洞形成ときの編み合わせ方式説明図である。
【図７】本発明の基布層の編み合わせ完成空洞なくなりの説明図である。
【図８】本発明の合成繊維のパイル糸形成の説明図である。
【図９】本発明のもう１つの合成繊維のパイル糸形成の説明図である。
【符号の説明】
【０００８】
１０   ずれ止め層
１０a  ずれ止め層
２０a  合成繊維糸
２０b  合成繊維糸
２１   環部
２２   パイル糸
２３   パイル糸頭部
２４   パイル糸頭部
３０a  基礎繊維糸
３０b  基礎繊維糸
４０   基布層
【図１】
2011111694.tif 000003
【図１ａ】
2011111694.tif 000004
【図２】
2011111694.tif 000005
【図３】
2011111694.tif 000006
【図４】
2011111694.tif 000007
【図５】
2011111694.tif 000008
【図６】
2011111694.tif 000009
【図７】
2011111694.tif 000010
【図８】
2011111694.tif 000011
【図９】
2011111694.tif 000012
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ずれ止め層であって、前記ずれ止め層は、１つの編み合わせた基布層と、複数の基布層の上に基布層から編み上げた合成繊維糸のパイル糸と、で構成され、
前記基布層は、複数の合成繊維糸と、柔軟な基礎繊維糸からなり、各自の合成繊維糸の傍に、基礎繊維糸を併設し、二股の編み合わせで、同一水平面に、基布層を形成し、前記各自の合成繊維糸が、U形に撓め、１つの環部と、２つの延伸されたパイル糸と、を形成され、各自の環部が、まえの環部を絡み、前記併設した基礎繊維糸が、同時にU形に撓め、環部を形成した後、横ばいで隣側の合成繊維に絡みつき、該各自の合成繊維糸の末端が基布層の外部に、特定の高さで延伸して、且つ一定の剛性を持つことを特徴とするずれ止め層。
【請求項２】
前記基布層は、空洞がない布面であることを特徴とする請求項１に記載のずれ止め層。
【請求項３】
前記基布層は、空洞が有する布面であることを特徴とする請求項１に記載のずれ止め層。
【請求項４】
前記基布層は、多角形の空洞が有する布面であることを特徴とする請求項３に記載のずれ止め層。
【請求項５】
前記合成繊維糸は、ナイロン（Nylon）で造られることを特徴とする請求項１に記載のずれ止め層。
【請求項６】
前記合成繊維糸は、ポリエステル（Polyester）で造られることを特徴とする請求項１に記載のずれ止め層。
【請求項７】
前記合成繊維糸は、ポリプロピレン（PP）で造られることを特徴とする請求項１に記載のずれ止め層。
【請求項８】
前記合成繊維糸は、ポリエチレン（PE）で造られることを特徴とする請求項１に記載のずれ止め層。